(57)【要約】【課題】尿を採取する際に尿が手に付着することを抑制すると共に容器本体を容易に支持することができる採尿容器を提供することにある。【解決手段】採尿容器１１は、長尺に形成される柄部１２と、該柄部１２の長手方向の一端に連結される容器本体１３とを備えている。柄部１２の容器本体１３と連結される側とは反対側の端部には、採尿容器１１を使用する使用者の指Ｆを引っ掛ける貫通孔１４が形成されている。柄部１２は、貫通孔１４が設けられる端部へ向かって容器本体１３における開口部１３ａの中心Ｏを通る軸線Ｉとの距離が長くなるように湾曲している。【選択図】      図１
2004264100.tif 000002
【特許請求の範囲】
【請求項１】
尿採取に用いられる採尿容器であって、尿を蓄尿するための容器本体と該容器本体の開口部を含む仮想平面よりも上方に配置されて前記容器本体を引っ掛け支持するための引掛手段とを含んで構成される採尿容器。
【請求項２】
前記引掛手段は、前記容器本体に連結される柄部に設けられる貫通孔である請求項１に記載の採尿容器。
【請求項３】
前記引掛手段は、前記容器本体に連結される柄部の長手方向の容器本体が設けられている側とは反対側の端部を略Ｔ字状に形成してなる請求項１に記載の採尿容器。
【請求項４】
尿採取に用いられる採尿容器の容器本体に対して着脱可能に取付けられる採尿容器用支持具であって、前記容器本体に着脱可能に取付けられる取付手段と前記容器本体の開口部を含む仮想平面よりも上方に配置されて前記容器本体を引っ掛け支持するための引掛手段とを含んで構成される採尿容器用支持具。
【発明の詳細な説明】
【０００１】
【発明の属する技術分野】
本発明は、採尿容器、及び採尿容器の容器本体に対して着脱可能に取付けられる採尿容器用支持具に関する。
【０００２】
【従来の技術】
従来、尿採取に用いられる採尿容器としては、例えば特許文献１に記載されたものが知られている。
【０００３】
即ち、図４に示すように、前記採尿容器５１は、有底円筒状をなす容器本体５２における上部開口縁の一部に沿ってひずめ形の尿受用フード５３が突設する構成となっている。尿受用フード５３を設けることにより、尿の散逸を防ぎ、容器本体５２を所持している手に尿が付着することを防ぐようになっている。しかしながら、採尿容器５１は、あくまでも、使用者が容器本体５２の外周面を握って持つ構成となっている。従って、使用者の容器本体５２を所持している手に尿が付着する虞は依然として拭い去れず、容器本体５２を所持している手に尿が付着する問題点からみて、採尿容器５１は更に改良の余地が残されている。そこで、この問題点に着目し、容器本体と離間した位置で採尿容器を把持する把持部を設けた、例えば特許文献２に記載された採尿容器が知られている。
【０００４】
即ち、図５に示すように、前記採尿容器６１は、細長形状の柄部６２と、この先端に貼り付けられる袋からなる容器本体６３とから構成されている。また、柄部６２の上端部（図５における上方の端部）は、折り曲げられて形成される把持部６４となっている。そして、尿を採取する際には、手（指）で把持部６４を把持し、図５に破線で示すように、柄部６２における容器本体６３の近傍部位を目がけて放尿することにより、尿が柄部６２に導かれて容器本体６３内に蓄尿される。従って、手で把持部６４を把持して尿採取することができるので、手に尿が付着することがなく衛生的である。
【０００５】
【特許文献１】
特開平１０−１０４２２７号公報
【特許文献２】
実開昭６１−１１４３６３号公報
【０００６】
【発明が解決しようとする課題】
ところが、前記採尿容器６１の把持部６４は指で挟んで持ち上げる構成となっており、例えば、充分な握力のない病人や手（指）の不自由な人が前記採尿容器６１を使用した場合、把持部６４を把持することができない虞があった。前記採尿容器５１においても、容器本体５２を所持する（握って持つ）ことができない虞があった。
【０００７】
本発明は、このような従来の技術に存在する問題点に着目してなされたものであり、その目的は、尿を採取する際に尿が手に付着することを抑制すると共に容器本体を容易に支持することができる採尿容器を提供することにある。また、尿を採取する際に尿が手に付着することを抑制すると共に容器本体を容易に支持するのに貢献し得る採尿容器用支持具を提供することにある。
【０００８】
【課題を解決するための手段】
上記問題点を解決するために、請求項１に記載の発明は、尿採取に用いられる採尿容器であって、尿を蓄尿するための容器本体と該容器本体の開口部を含む仮想平面よりも上方に配置されて前記容器本体を引っ掛け支持するための引掛手段とを含んで構成されることを要旨とする。採尿容器の使用者は、尿が容器本体の開口部に入るようにして尿を採取する。引掛手段は、この尿採取時に容器本体の開口部を含む仮想平面よりも上方に配置されるのである。
【０００９】
請求項２に記載の発明は、請求項１に記載の採尿容器において、前記引掛手段は、前記容器本体に連結される柄部に設けられる貫通孔であることを要旨とする。例えば、貫通孔に採尿容器の使用者の指が単に挿通されることで採尿容器は支持されるのである。
【００１０】
請求項３に記載の発明は、請求項１に記載の採尿容器において、前記引掛手段は、前記容器本体に連結される柄部の長手方向の容器本体が設けられている側とは反対側の端部を略Ｔ字状に形成してなることを要旨とする。例えば、採尿容器の使用者が指の間で柄部を挟んで持ち上げると、柄部の端部が略Ｔ字状になっていることから手のひら（手の甲）に端部が引っ掛かって、採尿容器は支持されるのである。
【００１１】
請求項４に記載の発明は、尿採取に用いられる採尿容器の容器本体に対して着脱可能に取付けられる採尿容器用支持具であって、前記容器本体に着脱可能に取付けられる取付手段と前記容器本体の開口部を含む仮想平面よりも上方に配置されて前記容器本体を引っ掛け支持するための引掛手段とを含んで構成されることを要旨とする。採尿容器の使用者は、尿が容器本体の開口部に入るようにして尿を採取する。採尿容器用支持具が容器本体に取付けられた状態で、引掛手段は、この尿採取時に容器本体の開口部を含む仮想平面よりも上方に配置されるのである。
【００１２】
【発明の実施の形態】
以下、本発明を具体化した一実施形態を図１に従って説明する。
図１に示すように、本実施形態における採尿容器１１は、長尺に形成される柄部１２と、該柄部１２の長手方向の一端に連結される容器本体１３とを備えている。また、前記容器本体１３と柄部１２は、紙の表面にポリエステルコーティングされる構成となっている。なお、容器本体１３と柄部１２の材質については、前述の材質に限定されることはなく適宜変更可能である。容器本体１３の表面処理についても、前述のポリエステルコーティングされる構成に限定されることはなく適宜変更可能である。
【００１３】
前記容器本体１３は、開口部１３ａを備える有底円筒状をなしており、その内径が容器本体１３の底部１３ｂから開口部１３ａへ向かって拡径する形状となっている。このように構成される容器本体１３は、尿採取時に、尿を蓄尿するものである。この容器本体１３の開口部１３ａの外周縁に平板状をなす柄部１２が固定されている。前記容器本体１３と柄部１２とは、容器本体１３の外周面とその柄部１２における対向面とをのりにより接着することにより固定されている。従って、柄部１２における容器本体１３と接着される部分及びその近傍部分は、容器本体１３の外周面に沿うように湾曲している。
【００１４】
前記柄部１２は、容器本体１３の開口部１３ａを含む仮想平面よりも上方（図１における上方）へ延びるように形成されている。また、柄部１２の容器本体１３と連結される側とは反対側の端部１２ａはその平面形状が略円形状をなしている。この柄部１２の端部１２ａには、容器本体１３を引っ掛け支持する引掛手段としての貫通孔１４が形成されている。貫通孔１４は、開口形状が略円形状をなしていると共に少なくとも指Ｆが挿入可能な程度の内径を有している。前記貫通孔１４は容器本体１３の開口部１３ａを含む仮想平面よりも上方（図１における上方）に配置される。また、柄部１２は、貫通孔１４が設けられる端部へ向かって前記容器本体１３における開口部１３ａの中心Ｏを通る軸線Ｉとの距離が長くなるように湾曲している。
【００１５】
また、柄部１２には、前記容器本体１３の軸線Ｉ側の表面であって且つ長手方向の中途位置に、尿採取を行う使用者の使用者情報としての名前を記載する記載欄１５が設けられている。柄部１２における記載欄１５が設けられている部位と容器本体１３と接着される部位との間が、容器本体１３の外周面に沿うように湾曲している前記近傍部分に対応する。
【００１６】
次に、以上のように構成された本実施形態における採尿容器１１を使用する際の作用について説明する。
病院等で尿採取を行う場合、採尿容器１１の柄部１２に設けられる記載欄１５に本人の名前（図１では、「××××」と示す）が記載された状態で、尿採取を行う人は採尿容器１１を受け取る。そして、尿採取を行う人が、例えば、充分な握力のない病人や手Ｈ（指Ｆ）の不自由な人（以下、「使用者」という）である場合には、採尿容器１１の柄部１２を把持することができない。そこで、使用者は、図１に示すように、柄部１２の貫通孔１４に指Ｆを挿通し引っ掛ける。そして、このように採尿容器１１を支持した状態で、尿を採取する。尿を採取した後、採尿容器１１を支持した状態で、提出用の棚に蓄尿された容器本体１３を載置し、貫通孔１４から指Ｆを引き抜く。
【００１７】
従って、本実施形態によれば以下のような効果を奏する。
（１）  採尿容器１１は、容器本体１３と柄部１２に設けられる貫通孔１４とを含んで構成される。貫通孔１４は、容器本体１３の開口部１３ａを含む仮想平面よりも上方に配置されるので、容器本体１３と離間した位置に貫通孔１４が設けられていることになる。従って、尿を採取する際に尿が手Ｈに付着することを抑制することができる。また、従来技術で挙げた採尿容器５１では容器本体５２の外周面を握って持つ構成となっており、採尿容器６１では把持部６４を指で挟んで持ち上げる構成となっていたが、採尿容器１１は容器本体１３を引っ掛け支持する構成となっている。従って、充分な握力のない病人や手Ｈ（指Ｆ）の不自由な人であっても、容器本体１３を容易に支持することができる。
【００１８】
（２）  貫通孔１４への指Ｆの挿脱が容易に行えるので、指Ｆを引っ掛ける際の動作及びこの引っ掛けた状態を解除する際の動作を円滑に行うことができる。また、貫通孔１４に指Ｆを引っ掛けた状態では、指Ｆの周りに柄部１２の端部１２ａが存在することになり、この引っ掛けた状態が貫通孔１４の軸線と垂直をなす方向へ解除されるのを抑制することができる。
【００１９】
（３）  貫通孔１４が柄部１２の長手方向の容器本体１３が設けられている側とは反対側の端部に設けられているので、容器本体１３と離間した位置で支持することができ、尿を採取する際に尿が手Ｈに付着するのをより効果的に抑制することができる。
【００２０】
（４）  貫通孔１４が設けられる柄部１２は、容器本体１３の開口部１３ａを含む仮想平面よりも上方へ延びるように形成されている。そのため、柄部１２は、尿採取時に、蓄尿される容器本体１３よりも上方に位置することになる。従って、容器本体１３を支持する手Ｈに尿が付着するのをより効果的に抑制することができる。
【００２１】
（５）  柄部１２には記載欄１５が設けられているので、尿採取後、採尿容器１１を受け取った病院側では、容器本体１３内の尿が誰のものかを容易に把握することができる。
【００２２】
（６）  柄部１２は、貫通孔１４が設けられる端部へ向かって容器本体１３の開口部１３ａの中心Ｏを通る軸線Ｉとの距離が長くなるように湾曲している。そのため、容器本体１３を支持した状態において、開口部１３ａにおける柄部１２が設けられている側の部分よりも開口部１３ａの中心Ｏを挟んで対向側に位置する部分が下方に位置することになる。従って、使用者は、尿採取時に容器本体１３内へ容易に放尿することができる。
【００２３】
（７）  柄部１２における記載欄１５が設けられている部位と容器本体１３と接着される部位との間が、容器本体１３の外周面に沿うように湾曲している。例えば、使用者が、柄部１２における容器本体１３と接着される部位の近傍位置に放尿した場合にも、柄部１２からその幅方向外側へ尿がはみ出すのを抑制することができると共に、尿を容器本体１３内へ導くことができる。また、柄部１２における容器本体１３と接着される部位の近傍位置を避けて記載欄１５が設けられているので、記載欄１５に尿が付着するのを抑制することができる。
【００２４】
なお、前記実施形態は以下のような別の実施形態（別例）に変更して具体化してもよい。
・  前記実施形態における柄部１２の貫通孔１４に代えて、引掛手段が柄部１２の長手方向の容器本体１３が設けられている側とは反対側の端部を略Ｔ字状に形成してなる構成としても良い。具体的には、図２に示すように、柄部１２の長手方向の容器本体１３が設けられている側とは反対側の端部であって、柄部１２の幅方向両端に、突部１６を設ける。また、柄部１２は平板状をなしており、両突部１６が設けられる端部へ向かって容器本体１３における軸線Ｉとの距離が長くなるように湾曲していない。そして、図２に示すように、使用者が指Ｆの間で柄部１２を挟んで持ち上げると、手Ｈのひらに各突部１６が引っ掛かって、容器本体１３は支持される。このように容器本体１３を引っ掛け支持した状態で、尿を採取する。尿を採取した後、容器本体１３を引っ掛け支持した状態で、提出用の棚に蓄尿された容器本体１３を載置し、指Ｆの間から柄部１２が引き抜かれる方向へ手Ｈを移動させる。このように、柄部１２に突部１６が設けられる構成を採用すると、指Ｆの間に柄部１２が挟まれると共に手Ｈのひらに各突部１６が引っ掛かった状態で、容器本体１３を支持することができ、容器本体１３を安定させることができる。また、突部１６が柄部１２の長手方向の容器本体１３が設けられている側とは反対側の端部に設けられているので、容器本体１３と離間した位置で支持することができ、尿を採取する際に尿が手Ｈに付着するのをより効果的に抑制することができる。
【００２５】
・  前記実施形態における柄部１２の貫通孔１４に代えて、図３に示すように、引掛手段が柄部１２の長手方向の容器本体１３が設けられている側とは反対側の端部を鉤形状に形成してなる構成としても良い。なお、図２及び図３に示した採尿容器１１の柄部１２の構成は、前記実施形態の柄部１２と同様の構成であっても良いし、以下に示す前記実施形態の柄部１２の別例のような構成としても良い。
【００２６】
・  前記実施形態では、容器本体１３が柄部１２の長手方向の一端に連結されていたが、この容器本体１３に連結される柄部１２の構成を省略し、容器本体１３に対して着脱可能に取付けられる採尿容器用支持具を採用しても良い。この採尿容器用支持具は、尿採取に用いられる採尿容器の容器本体に着脱可能に取付けられる取付手段と容器本体の開口部を含む仮想平面よりも上方に配置されて容器本体を引っ掛け支持するための引掛手段とを含んで構成される。具体的には、長尺に形成される柄部と柄部の長手方向の一端に連結されて容器本体１３の外周面に着脱可能に外嵌する取付手段としての取付部とを備え、柄部に容器本体を引っ掛け支持するための引掛手段としての貫通孔を設ける。前記取付部はリング状をなし、その内径は容器本体１３の底部１３ｂの外径より大きく且つ容器本体１３の開口部１３ａの外径より小さくなるように形成されている。そして、採尿容器用支持具を容器本体１３に取付ける際には、取付部に容器本体１３をその底部１３ｂ側から、取付部の内周面と容器本体１３の外周面が当接する位置まで挿入すると、取付部は容器本体１３の外周面に外嵌する。このような採尿容器用支持具を採用した場合、容器本体１３に対して着脱可能となっているので、再利用が可能である。また、容器本体１３は既存の容器を使用することができ、コストが増大するのを抑制することができる。さらに、容器本体１３の収納が便利となる。なお、取付部は、容器本体１３の外周面に外嵌する構成となっていれば、その形状は適宜変更可能である。例えば、リングの一部をなす形状や三角形状となっていても良い。さらに、柄部の中途位置にリング状部材を単数又は複数設けても良い。この場合、リング状部材の内径は、前記取付部の内径より大きく且つ開口部１３ａの外径より小さくなっている。また、取付手段は、容器本体に着脱可能に取付けられる構成であれば適宜変更可能である。また、引掛手段は容器本体を引っ掛け支持するための構成となっていれば貫通孔に限定されることはなく、前記実施形態の貫通孔１４と同様に適宜変更可能である。また、取付部と柄部とは一体構成であっても良い。さらに、別体構成とし、取付部と柄部とを接着固定しても良い。また、採尿容器用支持具における柄部の構成は前記実施形態の柄部１２の構成、図２及び図３に示す柄部１２の構成、及び以下に示す前記実施形態の柄部１２の別例のような構成としても良い。
【００２７】
・  前記実施形態では、貫通孔１４に指を引っ掛けて容器本体１３を支持する場合を例に挙げて説明したが、これに限定されることはなく、例えば、尿採取場所（例えば、トイレ）の天井から吊り下げられる針金などの先端を貫通孔１４に引っ掛けて容器本体１３を支持するようにしても良い。
【００２８】
・  前記実施形態では、柄部１２が貫通孔１４が設けられる端部へ向かって容器本体１３の軸線Ｉとの距離が長くなるように湾曲していたが、湾曲していなくても良い。
【００２９】
・  前記実施形態では、容器本体１３が有底筒状をなしていたが、袋状をなしていても良い。
・  前記実施形態では、柄部１２が容器本体１３に接着固定されていたが、柄部１２と容器本体１３とが連結されていれば、例えば、柄部１２と容器本体１３とが一体構成となっていても良い。また、柄部１２と容器本体１３との固定位置は、貫通孔１４に指Ｆを引っ掛けて容器本体１３を安定して支持することができれば、適宜変更可能である。また、柄部１２を２本や３本など複数本設けても良い。この場合には、例えば、複数の柄部１２の容器本体１３と連結されている側と反対側の端部が１本にまとめられ、この端部に貫通孔１４を設ける。
【００３０】
・  前記実施形態において、柄部１２が容器本体１３の開口縁に連結され、前記容器本体１３の開口部１３ａは、柄部１２が設けられている側の部位から該部位と開口部１３ａの中心Ｏを挟んで対向側に位置する部位へ向けて、容器本体１３の高さが低くなるように傾斜する形状となっていても良い。このような構成とすると、使用者は、尿採取時に容器本体１３内へ容易に放尿することができる。
【００３１】
・  前記実施形態では、柄部１２に記載欄１５が設けられていたが、記載欄１５は、尿採取を行う使用者の使用者情報を記載できる構成となっていれば良い。例えば、名前の他に、血液型などを記載できるようにしても良い。このような構成とすると、記載欄から使用者情報を得ることができる。また、記載欄１５を省略しても良い。
【００３２】
・  前記実施形態では、柄部１２が、前記容器本体１３の開口部１３ａを含む仮想平面よりも上方へ延びるように形成されていたが、柄部１２の貫通孔１４が容器本体１３の開口部１３ａを含む仮想平面よりも上方に配置される構成となっていれば適宜変更可能である。
【００３３】
・  前記実施形態における引掛手段は、容器本体１３を引っ掛け支持するための構成となっていれば、引掛手段を図１〜図３以外の構成としても良い。例えば、容器本体１３の開口縁に引掛手段を設けても良い。
【００３４】
・  前記実施形態の柄部１２の製造過程において、端部１２ａに貫通孔１４を設けず、貫通孔１４の端部をミシン目状にカットし、採尿容器１１の使用時に貫通孔１４に対応する端部１２ａ部分を取り除き、貫通孔１４を形成しても良い。
【００３５】
・  前記実施形態における柄部１２を折り畳み可能な構成としても良い。この場合、採尿容器１１を収納する際に柄部１２を折り畳む。
次に、上記実施形態及び別例から把握できる技術思想について、追記する。
【００３６】
・  前記柄部には、尿採取を行う使用者の使用者情報を記載する記載欄が設けられている。
・  前記引掛手段は、前記容器本体に連結される柄部の長手方向の容器本体が設けられている側とは反対側の端部を鉤形状に形成してなっている。
【００３７】
・  前記柄部は前記容器本体の開口縁に連結され、前記容器本体の開口部は前記柄部が設けられている側の部位から該部位と開口部の中心を挟んで対向側に位置する部位へ向けて、容器本体の高さが低くなるように傾斜する形状となっている。
【００３８】
・  前記容器本体は開口部を備える有底筒状をなし、前記容器本体に連結される柄部の長手方向の容器本体が設けられている側とは反対側の端部に前記引掛手段を設け、前記柄部は引掛手段が設けられる端部へ向かって前記容器本体における開口部の中心を通る軸線との距離が長くなるように湾曲する。
【００３９】
・  前記取付部はリング状をなし、その内径は前記容器本体の底部の外径より大きく且つ容器本体の開口部の外径より小さくなるように形成されている。
【００４０】
【発明の効果】
本願の請求項１〜請求項３に記載の発明によれば、尿を採取する際に尿が手に付着することを抑制すると共に容器本体を容易に支持することができる。
【００４１】
また、請求項４に記載の発明によれば、尿を採取する際に尿が手に付着することを抑制すると共に容器本体を容易に支持するのに貢献し得る。
【図面の簡単な説明】
【図１】本実施形態における採尿容器を示す斜視図。
【図２】別例の採尿容器の柄部及び容器本体の一部を示す一部切り欠き斜視図。
【図３】他の別例の採尿容器の柄部及び容器本体の一部を示す一部切り欠き斜視図。
【図４】従来の採尿容器を示す斜視図。
【図５】他の従来の採尿容器を示す斜視図。
【符号の説明】
１１…採尿容器、１２…柄部、１２ａ…端部、１３…容器本体、１３ａ…開口部、１４…引掛手段としての貫通孔。
【図１】
2004264100.tif 000003
【図２】
2004264100.tif 000004
【図３】
2004264100.tif 000005
【図４】
2004264100.tif 000006
【図５】
2004264100.tif 000007